(57)【要約】【課題】低コスト化の要請を満たしつつ、車両の内外において発せられ得る音声に対して音声処理を的確に行い得る音声処理装置及び制御装置を提供する。【解決手段】車両内に配された複数のマイクロフォン２２の各々によって取得される受音信号に含まれる音声の発生源である音声源の方位を判定する音声源方位判定部１６と、音声源の方位を含む方位範囲以外の方位範囲から到来する音を抑圧するビームフォーミングを行うビームフォーミング処理部１２と、受音信号に混入されたノイズの除去処理を行うノイズ除去処理部１４とを有し、車両内に乗員が存在しているか否かを示す第１の信号に基づいて、ビームフォーミング処理部によるビームフォーミングのオン／オフが設定される。【選択図】図４
2016167645.tif 000002
【特許請求の範囲】
【請求項１】
車両内に配された複数のマイクロフォンの各々によって取得される受音信号に含まれる音声の発生源である音声源の方位を判定する音声源方位判定部と、
前記音声源の前記方位を含む方位範囲以外の方位範囲から到来する音を抑圧するビームフォーミングを行うビームフォーミング処理部と、
前記受音信号に混入されたノイズの除去処理を行うノイズ除去処理部とを有し、
前記車両内に乗員が存在しているか否かを示す第１の信号に基づいて、前記ビームフォーミング処理部による前記ビームフォーミングのオン／オフが設定される、音声処理装置。
【請求項２】
前記第１の信号にかかわらず、前記ノイズ除去処理部によって前記ノイズの除去処理が行われる、請求項１記載の音声処理装置。
【請求項３】
前記車両内に前記乗員が存在していないことを前記第１の信号が示している場合には、前記ビームフォーミング処理部による前記ビームフォーミングがオフに設定される、請求項１又は２記載の音声処理装置。
【請求項４】
前記車両内に前記乗員が存在していないことを前記第１の信号が示している場合には、所定のワードが検出される前においては、前記ビームフォーミングがオフに設定され、前記所定のワードが検出された後においては、前記ビームフォーミングがオンに設定される、請求項１又は２記載の音声処理装置。
【請求項５】
前記受音信号に混入された音楽信号を、音響機器から取得された参照用音楽信号を用いて除去する音楽除去処理部を更に有し、
前記第１の信号にかかわらず、前記音楽除去処理部によって前記音楽信号の除去が行われる、請求項１乃至４のいずれか１項に記載の音声処理装置。
【請求項６】
車両内に配された複数のマイクロフォンの各々によって取得される受音信号に含まれる音声の発生源である音声源の方位を判定する音声源方位判定部と、前記音声源の前記方位を含む方位範囲以外の方位範囲から到来する音を抑圧するビームフォーミングを行うビームフォーミング処理部と、前記受音信号に混入されたノイズの除去処理を行うノイズ除去処理部とを含む音声処理部と、
前記音声処理部を用いて取得される音声認識結果に基づいた制御を行う制御部とを有し、
前記制御部は、前記車両内に乗員が存在しているか否かを示す第１の信号に基づいて、前記ビームフォーミング処理部による前記ビームフォーミングのオン／オフを設定する
を有する制御装置。
【請求項７】
前記車両内に前記乗員が存在していないことを前記第１の信号が示している状態において、所定のワードが検出された場合には、前記制御部は、前記所定のワードに基づいた制御を行う、請求項６記載の制御装置。
【請求項８】
前記車両内に前記乗員が存在していないことを前記第１の信号が示しており、且つ、前記車両が移動している状態において、前記所定のワードが検出された場合には、前記制御部は、前記車両を停止させる、請求項７記載の制御装置。
【請求項９】
前記車両内に前記乗員が存在していないことを前記第１の信号が示しており、且つ、前記車両に前記乗員が近接していることを第２の信号が示している状態において、前記所定のワードが検出された場合には、前記制御部は、前記車両に設けられた開閉体の開作動又は閉作動を行う、請求項７記載の制御装置。
【発明の詳細な説明】
【技術分野】
【０００１】
本発明は、音声処理装置及び制御装置に関する。
【背景技術】
【０００２】
自動車等の車両には、様々な機器が設けられている。これらの様々な機器に対する操作は、例えば、操作ボタンや操作パネル等を操作することにより行われている。
【０００３】
一方、近時では、音声認識技術を用いて車両の制御を行うことも提案されている（特許文献１、２）。
【先行技術文献】
【特許文献】
【０００４】
【特許文献１】特開２００６−１８９３９４号公報
【特許文献２】特開２００７−３０８８８７号公報
【発明の概要】
【発明が解決しようとする課題】
【０００５】
しかしながら、車両内のみならず、車両外においても、音声が発せられ得る。様々な箇所において発せられ得る音声を確実に検出すべく、様々な箇所にマイクロフォンを配した場合には、低コスト化の要請に反することとなる。
【０００６】
本発明の目的は、低コスト化の要請を満たしつつ、車両の内外において発せられ得る音声に対して音声処理を的確に行い得る音声処理装置及びその音声処理装置を用いた制御装置を提供することにある。
【課題を解決するための手段】
【０００７】
本発明の一観点によれば、車両内に配された複数のマイクロフォンの各々によって取得される受音信号に含まれる音声の発生源である音声源の方位を判定する音声源方位判定部と、前記音声源の前記方位を含む方位範囲以外の方位範囲から到来する音を抑圧するビームフォーミングを行うビームフォーミング処理部と、前記受音信号に混入されたノイズの除去処理を行うノイズ除去処理部とを有し、前記車両内に乗員が存在しているか否かを示す第１の信号に基づいて、前記ビームフォーミング処理部による前記ビームフォーミングのオン／オフが設定される、音声処理装置が提供される。
【発明の効果】
【０００８】
本発明によれば、車両内に乗員が存在しているか否かを示す第１の信号に基づいて、ビームフォーミングのオン／オフが設定される。このため、車両の外部に乗員が位置している場合であっても、かかる乗員が発する音声を、車両内に配されたマイクロフォンを用いて確実に検出することができる。車両の外部において発せられる音声を取得するためのマイクロフォンを、車両内に配されたマイクロフォンと別個に設けることを要しないため、低コスト化に寄与することができる。
【図面の簡単な説明】
【０００９】
【図１】車両の構成を示す概略図である。
【図２】本発明の一実施形態による制御装置のシステム構成を示すブロック図である。
【図３】本発明の一実施形態による車両を示す平面図である。
【図４】本発明の一実施形態による音声処理装置のシステム構成を示すブロック図である。
【図５】マイクロフォンの配置の例を示す概略図である。
【図６】音声源が遠方界に位置する場合と近傍界に位置する場合とを示す図である。
【図７】音楽の除去のアルゴリズムを示す概略図である。
【図８】音楽の除去前と除去後の信号波形を示す図である。
【図９】音声源の方位の判定のアルゴリズムを示す図である。
【図１０】適応フィルタ係数、音声源の方位角、及び、音声信号の振幅を示す図である。
【図１１】ビームフォーマの指向性を概念的に示す図である。
【図１２】ビームフォーマのアルゴリズムを示す図である。
【図１３】ビームフォーマにより得られる指向性の例を示すグラフである。
【図１４】ビームフォーマと音声源方位判定キャンセル処理とを組み合わせた場合の角度特性を示す図である。
【図１５】ビームフォーマにより得られる指向性の例を示すグラフである。
【図１６】ノイズの除去のアルゴリズムを示す図である。
【図１７】ノイズの除去前と除去後の信号波形を示す図である。
【図１８】本発明の一実施形態による音声処理装置の動作を示すフローチャートである。
【図１９】本発明の一実施形態による音声処理装置における第１の動作モードでの動作を示すフローチャートである。
【図２０】本発明の一実施形態による音声処理装置における第２の動作モードでの動作を示すフローチャートである。
【図２１】本発明の一実施形態の変形例による音声処理装置における第２の動作モードでの動作を示すフローチャートである。
【発明を実施するための形態】
【００１０】
以下、本発明の実施の形態について図面を用いて説明する。なお、本発明は以下の実施形態に限定されるものではなく、その要旨を逸脱しない範囲において適宜変更可能である。また、以下で説明する図面において、同じ機能を有するものは同一の符号を付し、その説明を省略又は簡潔にすることもある。
【００１１】
［一実施形態］
本発明の一実施形態による音声処理装置及びその音声処理装置を用いた制御装置について図１乃至図１９を用いて説明する。
【００１２】
本実施形態による音声処理装置及び制御装置について説明するに先立って、車両の構成について図１を用いて説明する。図１は、車両の構成を示す概略図である。
【００１３】
図１に示すように、車両（自動車）１３６の車体（車室）４６の前部には、運転者用の座席である運転席４０と助手席者用の座席である助手席４４とが配されている。運転席４０は、例えば車室４６の右側に位置している。運転席４０の前方には、ステアリングホイール（ハンドル）７８が配されている。助手席４４は、例えば車室４６の左側に位置している。運転席４０と助手席４４とにより、前部座席が構成されている。運転席４０の近傍には、運転者が音声を発する場合における音声源７２ａが位置する。助手席４４の近傍には、助手席者が音声を発する場合における音声源７２ｂが位置する。運転者も助手席者も座席４０，４４に着座した状態で上半身を動かし得るため、音声源７２の位置は変化し得る。車体４６の後部には、後部座席７０が配されている。なお、ここでは、個々の音声源を区別しないで説明する場合には、符号７２を用い、個々の音声源を区別して説明する場合には、符号７２ａ、７２ｂを用いることとする。
【００１４】
前部座席４０，４４の前方には、複数のマイクロフォン２２（２２ａ〜２２ｃ）、即ち、マイクロフォンアレイが配されている。なお、ここでは、個々のマイクロフォンを区別しないで説明する場合には、符号２２を用い、個々のマイクロフォンを区別して説明する場合には、符号２２ａ〜２２ｃを用いることとする。マイクロフォン２２は、ダッシュボード４２に配されていてもよいし、ルーフに近い部位に配されていてもよい。
【００１５】
前部座席４０，４４の音声源７２とマイクロフォン２２との間の距離は、数十ｃｍ程度である場合が多い。しかし、マイクロフォン２２と音声源７２との間の距離は、数十ｃｍより小さくなることもあり得る。また、マイクロフォン２２と音声源７２との間の距離は、１ｍを超えることもあり得る。
【００１６】
車体４６の内部には、車載音響機器（カーオーディオ機器）８４（図２参照）のスピーカシステムを構成するスピーカ（ラウドスピーカ）７６が配されている。スピーカ７６から発せられる音楽（ミュージック）は、音声認識を行う上でのノイズとなり得る。
【００１７】
車体４６には、車両１３６を駆動するためのエンジン８０が配されている。エンジン８０から発せられる音は、音声認識を行う上でのノイズとなり得る。
【００１８】
車両１３６の走行中に路面の刺激によって車室４６内に発生する騒音、即ち、ロードノイズも、音声認識を行う上でのノイズとなり得る。また、車両１３６が走行する際に生ずる風切り音も、音声認識を行う上でのノイズ源となり得る。また、車体４６の外部にも、ノイズ源８２は存在し得る。外部ノイズ源８２から発せられる音も、音声認識を行う上でのノイズとなり得る。
【００１９】
車体４６に配された様々な機器に対する操作を、音声による指示によって行い得ると便利である。音声による指示は、例えば自動音声認識装置１６８（図２参照）を用いて認識される。本実施形態による音声処理装置１０２は、音声認識の精度の向上に資するものである。
【００２０】
図２は、本実施形態による制御装置を示すブロック図である。
【００２１】
図２に示すように、本実施形態による制御装置１００は、音声処理装置１０２、自動音声認識装置１６８、入力部１１４、制御部（ＣＰＵ：Central Processing Unit）１１６、メモリ１１８、及び、出力部１２０を有している。音声処理装置１０２、自動音声認識装置１６８、入力部１１４、制御部１１６、メモリ１１８、及び、出力部１２０は、バスライン１２２を介して相互に信号を入出力し得る。
【００２２】
なお、音声処理装置１０２と自動音声認識装置１６８とが別個の装置であってもよいし、音声処理装置（音声処理部）１０２と自動音声認識装置（音声認識部）１６８とが一体になっていてもよい。音声処理装置１０２と自動音声認識装置１６８とが一体になった装置は、音声処理装置と称することもできるし、自動音声認識装置と称することもできる。
【００２３】
音声処理装置１０２には、複数のマイクロフォン２２ａ〜２２ｃの各々によって取得される信号が入力されるようになっている。また、音声処理装置１０２には、車載音響機器８４からの信号が入力されるようになっている。
【００２４】
音声処理装置１０２によって処理が行われた音声信号が、音声出力として自動音声認識装置（音声認識装置）１６８に出力されるようになっている。
【００２５】
入力部１１４には、近接検知部（近接検知手段）１２６からの信号が入力されるようになっている。車両１３６への乗員の近接の有無を示す信号、即ち、近接検知信号が、近接検知部１２６から入力部１１４に入力されるようになっている。近接検知部１２６としては、例えば、スマートキー（認証キー）１４６から発せられる無線信号を受信し得る受信部（受信手段）等を用いることができる。近接検知部１２６は、例えば、スマートキーシステム用の受信部を兼ねていてもよいし、スマートキーシステム用の受信部と別個に設けられているものであってもよい。図３は、本実施形態による車両を示す平面図である。図３に示すように、開閉体１３４ａ〜１３４ｃの近傍にスマートキー１４６の通信エリア１４８が形成される。スマートキー１４６がスマートキーシステムの通信エリア１４８内に位置している際に、スマートキー１４６が通信エリア１４８内に位置していることを示す信号が、近接検知部１２６から入力部１１４に入力される。
【００２６】
なお、ここでは、スマートキー１４６から発せられる無線信号が近接検知部１２６により受信されたことに基づいて、車両１３６への乗員の近接の有無を判定したが、これに限定されるものではない。即ち、車両１３６への乗員の近接の有無を判定ために用いられる乗員側の機器は、スマートキー１４６に限定されるものではなく、ＩＤ認証が可能な携帯機器であればよい。ＩＤ認証が可能な様々な携帯機器と車載機器との間の通信の成立の有無に基づいて、車両１３６への乗員の近接の適宜判定することが可能である。
【００２７】
入力部１１４には、車両１３６内に乗員が存在するか否かを示す信号、即ち、乗員有無検知信号が、乗員検出部１４２から入力部１１４に入力されるようになっている。乗員検出部１４２としては、例えば、ドライバモニタや体重検知センサ等を用いることができる。ドライバモニタは、カメラ（図示せず）で撮影した画像に基づいて乗員の有無を検出し得る。体重検知センサは、例えば、運転席４０に配され、体重検知センサによって検知された体重に基づいて乗員の有無を検出し得る。
【００２８】
制御部１１６は、制御装置１００の全体の制御を司るものである。制御部１１６は、近接検知部１２６から入力部１１４を介して入力される近接検知信号を読み取る。制御部１１６は、スマートキー１４６を所持した乗員が車両１３６に近接した状態であるか否かを、近接検知信号に基づいて判断し得る。また、制御部１１６は、乗員検出部１４２から入力部１１４を介して入力される乗員有無検知信号を読み取る。制御部１１６は、車両１３６内に乗員が存在するか否かを、乗員有無検知信号に基づいて判断し得る。また、制御部１１６は、自動音声認識装置１６８からの出力情報、即ち、音声認識結果を読み取る。制御部１１６は、自動音声認識装置１６８による音声認識結果に基づいて、音声による乗員の指示を認識し得る。
【００２９】
制御部１１６は、自動音声認識装置１６８による音声認識結果に基づいて、車両１３６に搭載されている様々な機器等に対しての制御を行う。
【００３０】
例えば、制御部１１６は、開閉体１３４に対しての制御を行う。具体的には、制御部１１６は、開閉体駆動装置１３２を制御するための制御信号を、出力部１２０を介して開閉体駆動装置１３２に出力する。開閉体駆動装置１３２は、開閉機構を有する構造体である開閉体１３４を駆動するためのものである。制御部１１６は、開閉体駆動装置１３２を介して開閉体１３４を自動で開作動等させる。車両１３６には、サイドドア１３４ａ、１３４ｂやバックドア１３４ｃ等の様々な開閉体が配されているが。図２においては、個々の開閉体を区別せず、複数の開閉体のうちの１つを符号１３４を用いて図示している。
【００３１】
また、制御部１１６は、ブレーキ１４０に対しての制御を行う。具体的には、制御部１１６は、ブレーキ制御装置１３８を制御するための制御信号を、出力部１２０を介してブレーキ制御装置１３８に出力する。ブレーキ制御装置１３８は、ブレーキ１４０を制御するためのものである。制御部１１６は、ブレーキ制御装置１３８を介してブレーキ１４０を制御する。
【００３２】
図４は、本実施形態による音声処理装置のシステム構成を示すブロック図である。図４に示すように、本実施形態による音声処理装置１０２は、前処理部１０と、処理部１２と、後処理部１４と、音声源方位判定部１６と、適応アルゴリズム決定部１８と、ノイズモデル決定部２０とを含む。
【００３３】
前処理部１０には、複数のマイクロフォン２２ａ〜２２ｃの各々によって取得される信号、即ち、受音信号が入力されるようになっている。マイクロフォン２２としては、例えば、無指向性のマイクロフォンが用いられる。
【００３４】
図５は、マイクロフォンの配置の例を示す概略図である。図５（ａ）は、マイクロフォン２２の数が３個の場合を示している。図５（ｂ）は、マイクロフォン２２の数が２個の場合を示している。複数のマイクロフォン２２は、直線上に位置するように配されている。
【００３５】
図６は、音声源が遠方界に位置する場合と近傍界に位置する場合とを示す図である。図６（ａ）は、音声源７２が遠方界に位置する場合を示しており、図６（ｂ）は、音声源７２が近傍界に位置する場合を示している。ｄは、音声源７２からマイクロフォン２２までの距離の差を示している。θは、音声源７２の方位を示している。
【００３６】
図６（ａ）に示すように、音声源７２が遠方界に位置する場合には、マイクロフォン２２に到達する音声は、平面波とみなすことができる。このため、本実施形態では、音声源７２が遠方界に位置する場合には、マイクロフォン２２に到達する音声を平面波として取り扱って、音声源７２の方位（方向）、即ち、音源方位（ＤＯＡ：Direction Of Arrival）を判定する。マイクロフォン２２に到達する音声を平面波として扱うことが可能なため、音声源７２が遠方界に位置する場合には、２個のマイクロフォン２２を用いて音声源７２の方位を判定し得る。なお、音声源７２の位置やマイクロフォン２２の配置によっては、マイクロフォン２２の数が２個の場合であっても、近傍界に位置する音声源７２の方位を判定し得る。
【００３７】
図６（ｂ）に示すように、音声源７２が近傍界に位置する場合には、マイクロフォン２２に到達する音声は、球面波とみなすことができる。このため、本実施形態では、音声源７２が近傍界に位置する場合には、マイクロフォン２２に到達する音声を球面波として扱って、音声源７２の方位を判定する。マイクロフォン２２に到達する音声を球面波として扱うことを要するため、音声源７２が近傍界に位置する場合には、少なくとも３個のマイクロフォン２２を用いて音声源７２の方位を判定する。ここでは、説明の簡略化のため、マイクロフォン２２の数を３個とする場合を例に説明する。
【００３８】
マイクロフォン２２ａとマイクロフォン２２ｂとの距離Ｌ１は、比較的長く設定されている。マイクロフォン２２ｂとマイクロフォン２２ｃとの距離Ｌ２は、比較的短く設定されている。
【００３９】
本実施形態において距離Ｌ１と距離Ｌ２とを異ならせているのは、以下のような理由によるものである。即ち、本実施形態では、各々のマイクロフォン２２に到達する音声（受音信号の到来時間差（ＴＤＯＡ：Time Delay Of Arrival）に基づいて、音声源７２の方位を特定する。周波数が比較的低い音声は波長が比較的長いため、周波数が比較的低い音声に対応するためには、マイクロフォン２２間の距離を比較的大きく設定することが好ましい。このため、本実施形態では、マイクロフォン２２ａとマイクロフォン２２ｂとの間の距離Ｌ１を比較的長く設定している。一方、周波数が比較的高い音声は波長が比較的短いため、周波数が比較的高い音声に対応するためには、マイクロフォン２２間の距離を比較的小さく設定することが好ましい。そこで、本実施形態では、マイクロフォン２２ｂとマイクロフォン２２ｃとの間の距離Ｌ２を比較的短く設定している。
【００４０】
マイクロフォン２２ａとマイクロフォン２２ｂとの間の距離Ｌ１は、例えば３４００Ｈｚ以下の周波数の音声に対して好適とすべく、例えば５ｃｍ程度とする。マイクロフォン２２ｂとマイクロフォン２２ｃとの間の距離Ｌ２は、例えば３４００Ｈｚを超える周波数の音声に対して好適とすべく、例えば２．５ｃｍ程度とする。なお、距離Ｌ１、Ｌ２は、これらに限定されるものではなく、適宜設定し得る。
【００４１】
本実施形態において、音声源７２が遠方界に位置する場合に、マイクロフォン２２に到達する音声を平面波として扱うのは、音声を平面波として扱う場合の方が、音声を球面波として扱う場合よりも、音声源７２の方位を判定するための処理が簡略なためである。このため、本実施形態では、音声源７２が遠方界に位置する場合には、マイクロフォン２２に到達する音声を平面波として扱う。マイクロフォン２２に到達する音声を平面波として扱うため、遠方界に位置する音声源７２の方位を判定する際には、音声源７２の方位を判定するための処理の負荷を軽くすることができる。
【００４２】
なお、音声源７２の方位を判定するための処理の付加は重くなるが、音声源７２が近傍界に位置する場合には、マイクロフォン２２に到達する音声を球面波として扱う。音声源７２が近傍界に位置する場合には、マイクロフォン２２に到達する音声を球面波として扱わないと、音声源７２の方位を正確に判定し得ないためである。
【００４３】
このように、本実施形態では、音声源７２が遠方界に位置する場合には、音声を平面波として扱って音声源７２の方位を判定し、音声源７２が近傍界に位置する場合には、音声を球面波として扱って音声源７２の方位を判定する。
【００４４】
図４に示すように、複数のマイクロフォン２２によって取得される受音信号が、前処理部１０に入力されるようになっている。前処理部１０では、音場補正が行われる。音場補正においては、音響空間である車室４６の音響特性を考慮したチューニングが行われる。
【００４５】
マイクロフォン２２によって取得される受音信号に音楽が含まれている場合には、前処理部１０は、マイクロフォン２２によって取得される受音信号から音楽を除去する。前処理部１０には、参照用音楽信号（参照信号）が入力されるようになっている。前処理部１０は、マイクロフォン２２によって取得される受音信号に含まれている音楽を、参照用音楽信号を用いて除去する。
【００４６】
図７は、音楽の除去のアルゴリズムを示す概略図である。車載音響機器８４によって音楽が再生されている際には、マイクロフォン２２によって取得される受音信号には音楽が含まれる。マイクロフォン２２によって取得される音楽を含む受音信号は、前処理部１０内に設けられた音楽除去処理部２４に入力されるようになっている。また、参照用音楽信号が、音楽除去処理部２４に入力されるようになっている。参照用音楽信号は、例えば、車載音響機器８４のスピーカ７６から出力された音楽を、マイクロフォン２６ａ、２６ｂによって取得することにより得ることが可能である。また、スピーカ７６によって音に変換される前の音楽ソース信号を、参照用音楽信号として、音楽除去処理部２４に入力するようにしてもよい。
【００４７】
音楽除去処理部２４からの出力信号は、前処理部１０内に設けられたステップサイズ判定部２８に入力されるようになっている。ステップサイズ判定部２８は、音楽除去処理部２４の出力信号のステップサイズの判定を行うものである。ステップサイズ判定部２８によって判定されたステップサイズは、音楽除去処理部２４にフィードバックされるようになっている。音楽除去処理部２４は、参照用音楽信号を用い、ステップサイズ判定部２８により判定されたステップサイズに基づき、周波数領域の正規化最小二乗法（ＮＬＭＳ：Normalized Least-Mean Square）のアルゴリズムによって、音楽を含む信号から音楽を除去する。車室４６内における音楽の反響成分をも十分に除去すべく、十分な処理段数で音楽の除去の処理が行われる。
【００４８】
図８は、音楽の除去前と除去後の信号波形を示す図である。横軸は時間を示しており、縦軸は振幅を示している。図８（ａ）は音楽の除去前を示しており、図８（ｂ）は音楽の除去後を示している。図８から分かるように、音楽が確実に除去されている。
【００４９】
このようにして音楽が除去された信号が、前処理部１０の音楽除去処理部２４から出力され、処理部１２に入力される。なお、前処理部１０において音楽を十分に除去し得ない場合には、後処理部１４においても、音楽の除去の処理を行うようにしてもよい。
【００５０】
音声源方位判定部１６では、音声源の方位の判定が行われる。図９は、音声源の方位の判定のアルゴリズムを示す図である。複数のマイクロフォン２２のうちのあるマイクロフォン２２からの信号が、音声源方位判定部１６内に設けられた遅延部３０に入力されるようになっている。複数のマイクロフォン２２のうちの他のマイクロフォン２２からの信号が、音声源方位判定部１６内に設けられた適応フィルタ３２に入力されるようになっている。遅延部３０の出力信号と適応フィルタ３２の出力信号とが、減算点３４に入力されるようになっている。減算点３４においては、遅延部３０の出力信号から適応フィルタ３４の出力信号が減算される。減算点３４において減算処理が行われた信号に基づいて、適応フィルタ３２が調整される。適応フィルタ３２からの出力は、ピーク検出部３６に入力されるようになっている。ピーク検出部３６は、適応フィルタ係数のピーク（最大値）を検出するものである。適応フィルタ係数のピークに対応する到来時間差τが、目的音の到来方位に対応する到来時間差τである。従って、こうして求められた到来時間差τに基づいて、音声源７２の方位、即ち、目的音の到来方位を判定することが可能となる。
【００５１】
音の速度をｃ［ｍ／ｓ］、マイクロフォン間の距離をｄ［ｍ］、到来時間差をτ［秒］とすると、音声源７２の方向θ［度］は、以下のような式（１）によって表される。なお、音速ｃは、３４０［ｍ／ｓ］程度である。
【００５２】
θ ＝ （１８０／π）×ａｒｃｃｏｓ（τ・ｃ／ｄ）  ・・・（１）
【００５３】
図１０は、適応フィルタ係数、音声源の方位角、及び、音声信号の振幅を示す図である。図１０（ａ）では、適応フィルタ係数がピークとなる部分にハッチングを付している。図１０（ｂ）は、到来時間差τに基づいて判定された音声源７２の方位を示している。図１０（ｃ）は、音声信号の振幅を示している。なお、図１０は、運転者と助手席者とで交互に音声を発した場合を示している。ここでは、運転者が音声を発する場合の音声源７２ａの方位は、α１とした。助手席者が音声を発する場合の音声源７２ｂの方位は、α２とした。
【００５４】
図１０（ａ）に示すように、適応フィルタ係数ｗ（ｔ，τ）のピークに基づいて、到来時間差τを検出することが可能である。運転者が音声を発した場合には、適応フィルタ係数のピークに対応する到来時間差τは、例えば−ｔ１程度となる。そして、到来時間差τに基づいて音声源７２ａの方位角を判定すると、音声源７２ａの方位角は例えばα１程度と判定される。一方、助手席者が音声を発した場合には、適応フィルタ係数のピークに対応する到来時間差τは、例えばｔ２程度となる。そして、到来時間差τに基づいて音声源７２ｂの方位角を判定すると、音声源７２ｂの方位角は例えばα２度程度と判定される。なお、ここでは、α１の方位に運転者が位置しており、α２の方位に助手席者が位置している場合を例に説明したが、これに限定されるものではない。音声源７２が近傍界に位置する場合であっても、音声源７２が遠方界に位置する場合であっても、到来時間差τに基づいて、音声源７２の位置を特定することが可能である。但し、音声源７２が近傍界に位置する場合には、上述したように、マイクロフォン２２が３個以上必要であるため、音声源７２の方位を求めるための処理の負荷は重くなる。
【００５５】
音声源方位判定部１６の出力信号、即ち、音声源７２の方位を示す信号が、適応アルゴリズム決定部１８に入力されるようになっている。適応アルゴリズム決定部１８は、音声源７２の方位に基づいて適応アルゴリズムを決定するものである。適応アルゴリズム決定部１８によって決定された適応アルゴリズムを示す信号が、適応アルゴリズム決定部１８から処理部１２に入力されるようになっている。
【００５６】
処理部１２は、適応的に指向性を形成する信号処理である適応ビームフォーミングを行うものである（適応ビームフォーマ、ビームフォーミング処理部）。ビームフォーマとしては、例えばＦｒｏｓｔビームフォーマを用いることができる。なお、ビームフォーミングは、Ｆｒｏｓｔビームフォーマに限定されるものではなく、様々なビームフォーマを適宜適用することができる。処理部１２は、適応アルゴリズム決定部１８によって決定された適応アルゴリズムに基づいて、ビームフォーミングを行う。本実施形態において、ビームフォーミングを行うのは、目的音の到来方位に対しての感度を確保しつつ、目的音の到来方向以外の感度を低下させるためである。目的音は、例えば運転者から発せられる音声である。運転者は運転席４０に着座した状態で上半身を動かし得るため、音声源７２ａの位置は変化し得る。音声源７２ａの位置の変化に応じて、目的音の到来方位は変化する。良好な音声認識を行うためには、目的音の到来方向以外の感度を確実に低下させることが好ましい。そこで、本実施形態では、上記のようにして判定される音声源７２の方位に基づいて、当該方位を含む方位範囲以外の方位範囲からの音声を抑圧すべく、ビームフォーマを順次更新する。
【００５７】
図１１は、ビームフォーマの指向性を概念的に示す図である。図１１は、音声認識の対象とすべき音声源７２ａが運転席４０に位置している場合のビームフォーマの指向性を概念的に示している。図１１におけるハッチングは、到来音が抑圧（抑制、低減）される方位範囲を示している。図１１に示すように、運転席４０の方位を含む方位範囲以外の方位範囲から到来する音が抑圧される。
【００５８】
なお、音声認識の対象とすべき音声源７２ｂが助手席４４に位置している場合には、助手席４４の方位を含む方位範囲以外の方位範囲から到来する音が抑圧されるようにすればよい。
【００５９】
図１２は、ビームフォーマのアルゴリズムを示す図である。マイクロフォン２２ａ〜２２ｃによって取得される受音信号が、前処理部１０（図４参照）を介して、処理部１２内に設けられた窓関数／高速フーリエ変換処理部４８ａ〜４８ｃにそれぞれ入力されるようになっている。窓関数／高速フーリエ変換処理部４８ａ〜４８ｃは、窓関数処理及び高速フーリエ変換処理を行うものである。本実施形態において、窓関数処理及び高速フーリエ変換処理を行うのは、周波数領域での計算は時間領域での計算より速いためである。窓関数／高速フーリエ変換処理部４８ａの出力信号Ｘ１，ｋとビームフォーマの重みテンソルＷ１，ｋ＊とが、乗算点５０ａにおいて乗算されるようになっている。窓関数／高速フーリエ変換処理部４８ｂの出力信号Ｘ２，ｋとビームフォーマの重みテンソルＷ２，ｋ＊とが、乗算点５０ｂにおいて乗算されるようになっている。窓関数／高速フーリエ変換処理部４８ｂの出力信号Ｘ３，ｋとビームフォーマの重みテンソルＷ３，ｋ＊とが、乗算点５０ｃにおいて乗算されるようになっている。乗算点５０ａ〜５０ｃにおいてそれぞれ乗算処理された信号が、加算点５２において加算されるようになっている。加算点５２において加算処理された信号Ｙｋは、処理部１２内に設けられた逆高速フーリエ変換／重畳加算処理部５４に入力されるようになっている。逆高速フーリエ変換／重畳加算処理部５４は、逆高速フーリエ変換処理及び重畳加算（ＯＬＡ：OverLap-Add）法による処理を行うものである。重畳加算法による処理を行うことにより、周波数領域の信号が時間領域の信号に戻される。逆高速フーリエ変換処理及び重畳加算法による処理が行われた信号が、逆高速フーリエ変換／重畳加算処理部５４から後処理部１４に入力されるようになっている。
【００６０】
図１３は、ビームフォーマにより得られた指向性（角度特性）を示す図である。横軸は方位角を示しており、縦軸は出力信号パワーを示している。図１３から分かるように、例えば方位角β１と方位角β２とにおいて出力信号パワーが極小となる。方位角β１と方位角β２との間においても、十分な抑圧が行われている。図１３に示すような指向性のビームフォーマを用いれば、助手席から到来する音を十分に抑圧することができる。一方、運転席から到来する音声は、殆ど抑圧されることなくマイクロフォン２２に到達する。
【００６１】
本実施形態では、音声源７２から到来する音声の大きさよりも、音声源７２の方位を含む方位範囲以外の方位範囲から到来する音の方が大きい場合には、音声源７２の方位の判定を中断する（音声源方位判定キャンセル処理）。例えば、運転者からの音声を取得するようにビームフォーマが設定されている場合において、運転者からの音声よりも助手席者からの音声の方が大きい場合には、音声源の方位の推定を中断する。この場合、マイクロフォン２２によって取得される受音信号を十分に抑圧する。図１４は、ビームフォーマと音声源方位判定キャンセル処理とを組み合わせた場合の指向性（角度特性）を示す図である。実線は、ビームフォーマの指向性を示している。一点鎖線は、音声源方位判定キャンセル処理の角度特性を示している。例えばγ１より小さい方位から到来する音声、又は、例えばγ２より大きい方位から到来する音声が、運転者からの音声よりも大きい場合には、音声源方位判定キャンセル処理が行われる。なお、ここでは、運転者からの音声を取得するようにビームフォーマが設定されている場合を例に説明したが、助手席者からの音声を取得するようにビームフォーマが設定されていてもよい。この場合には、助手席者からの音声よりも運転者からの音声の方が大きい場合には、音声源の方位の推定を中断する。
【００６２】
図１５は、マイクロフォンが２個の場合におけるビームフォーマにより得られる指向性を示すグラフである。横軸は方位角であり、縦軸は出力信号パワーである。マイクロフォン２２が２個であるため、極小値となる角度が１箇所のみである。図１５から分かるように、例えば方位角β１においては著しい抑圧が可能であるが、音声源７２の方位の変化に対するロバスト性はあまり高くない。
【００６３】
こうして、音声源７２の方位を含む方位範囲以外の方位範囲から到来する音が抑圧された信号が、処理部１２から出力される。処理部１２からの出力信号は、後処理部１４に入力されるようになっている。
【００６４】
後処理部（後処理適応フィルタ）１４においては、ノイズの除去が行われる。かかるノイズとしては、例えばエンジンノイズ、ロードノイズ、風切り音等が挙げられる。図１６は、ノイズの除去のアルゴリズムを示す図である。ノイズモデル決定部２０内に設けられた基本波判定部５６によって、ノイズの基本波が判定される。基本波判定部５６は、ノイズの基本波に基づいた正弦波を出力する。基本波判定部５６から出力される正弦波は、ノイズモデル決定部２０内に設けられたモデリング処理部５８に入力されるようになっている。モデリング処理部５８は、非線形マッピング処理部６０と、線形フィルタ６２と、非線形マッピング処理部６４とを有している。モデリング処理部５８は、Hammerstein-Wiener非線形モデルによるモデリング処理を行うものである。モデリング処理部５８には、非線形マッピング処理部６０、線形フィルタ６２及び非線形マッピング処理部６４が設けられている。モデリング処理部５８は、基本波判定部５６から出力される正弦波に対してモデリング処理を行うことにより、参照用ノイズ信号を生成する。モデリング処理部５８から出力される参照用ノイズ信号は、ノイズが含まれた信号からノイズを除去するための参照信号となる。参照用ノイズ信号は、後処理部１４内に設けられたノイズ除去処理部６６に入力されるようになっている。ノイズ除去処理部６６には、処理部１２からのノイズを含む信号も入力されるようになっている。ノイズ除去処理部６６は、参照用ノイズ信号を用い、正規化最小二乗法のアルゴリズムによって、ノイズを含む信号からノイズを除去する。ノイズ除去処理部６６からは、ノイズが除去された信号が出力される。
【００６５】
図１７は、ノイズの除去前と除去後の信号波形を示す図である。横軸は時間を示しており、縦軸は振幅を示している。図１７（ａ）はノイズ除去前を示しており、図１７（ｂ）はノイズ除去後を示している。図１７から分かるように、ノイズが確実に除去されている。
【００６６】
後処理部１４においては、歪低減処理も行われる。なお、ノイズの除去は、後処理部１４においてのみ行われるわけではない。マイクロフォン２２を介して取得された音に対して、前処理部１０、処理部１２及び後処理部１４において行われる一連の処理によって、ノイズの除去が行われる。
【００６７】
こうして、後処理部１４によって後処理が行われた信号が、自動音声認識装置１６８に音声出力として出力される。目的音以外の音が抑圧された良好な目的音が自動音声認識装置１６８に入力されるため、自動音声認識装置１６８は、音声認識の精度を向上することができる。自動音声認識装置１６８による音声認識結果に基づいて、車両１３６に搭載されている機器等に対しての操作が自動で行われる。
【００６８】
次に、本実施形態による音声処理装置及びその音声処理装置を用いた制御装置の動作について図１８乃至図２０を用いて説明する。図１８は、本実施形態による音声処理装置の動作を示すフローチャートである。
【００６９】
まず、図１８に示すように、車両１３６内に乗員が存在するか否かを判定する（ステップＳ１）。車両１３６内に乗員が存在するか否かは、例えば、乗員検出部１４２からの乗員有無検知信号に基づいて判断し得る。
【００７０】
車両１３６内に乗員が存在する場合には（ステップＳ１においてＹＥＳ）、音声処理装置１０２を第１の動作モードで動作させる。第１の動作モードは、車両１３６内に乗員が存在していることを前提とした動作モードである。第１の動作モードにおいては、音声源方位判定、ビームフォーミング処理、ノイズ除去処理、音楽除去処理等が行われる。
【００７１】
第１の動作モードにおける音声処理装置の動作を、図１９を用いて説明する。図１９は、本実施形態による音声処理装置における第１の動作モードでの動作を示すフローチャートである。
【００７２】
まず、ノイズ除去処理及び音楽除去処理が開始される（ステップＳ１０）。即ち、ノイズ除去処理及び音楽除去処理がオンに設定される。ノイズ除去処理及び音楽除去処理は、この後、継続して行われる。なお、車載音響機器８４が音楽を出力していない場合や、音楽の音量が極めて小さい場合等には、音楽除去処理を行わなくてもよい。上述したように、前処理部１０、処理部１２及び後処理部１４において行われる一連の処理によって、ノイズの除去が行われる。また、上述したように、音楽除去処理は、前処理部１０に設けられた音楽除去処理部２４等によって行われる。
【００７３】
乗員による呼びかけが音声処理装置１０２に対して行われる前においては（ステップＳ１１においてＮＯ）、ノイズ除去処理、音楽除去処理等は行われるが、音声源方位判定、ビームフォーミング等は行われない。
【００７４】
乗員による呼びかけが音声処理装置１０２に対して行われると（ステップＳ１１においてＹＥＳ）、音声源方位判定処理及びビームフォーミング処理がオンに設定され、呼びかけを発した音声源７２の方位が判定される（ステップＳ１２）。音声源７２の方位の判定は、上述したように、音声源方位判定部１６等によって行われる。呼びかけは、例えば、運転者によって行われる。なお、呼びかけは、運転者が行わなくてもよい。例えば、助手席者が呼びかけを行ってもよい。また、呼びかけは、特定の言葉であってもよいし、単なる発声であってもよい。
【００７５】
次に、音声源７２の方位に応じて、ビームフォーマの指向性が設定される（ステップＳ１３）。ビームフォーマの指向性の設定は、上述したように、適応アルゴリズム決定部１８、処理部１２等によって行われる。
【００７６】
音声源７２の方位を含む所定の方位範囲以外の方位範囲から到来する音の大きさが、音声源７２から到来する音声の大きさ以上である場合には（ステップＳ１４においてＹＥＳ）、音声源７２の方位の判定を中断する（ステップＳ１５）。
【００７７】
一方、音声源７２の方位を含む所定の方位範囲以外の方位範囲から到来する音の大きさが、音声源７２から到来する音声の大きさ以上でない場合には（ステップＳ１４においてＮＯ）、ステップＳ１２、Ｓ１３を繰り返し行う。
【００７８】
こうして、音声源７２の位置の変化に応じて、ビームフォーマが適応的に設定され、目的音以外の音が確実に抑制される。ノイズ除去処理や音楽除去処理等が行われ、且つ、目的音以外の音が抑圧された、良好な目的音が自動音声認識装置１６８に入力されるため、自動音声認識装置１６８は音声認識の精度を向上することができる。自動音声認識装置１６８による音声認識結果に基づいて、車両１３６に搭載されている機器等に対しての操作、例えば、ドア、ウィンドウ、ワイパー、ウインカー等に対しての操作が自動で行われる。
【００７９】
一方、車両１３６内に乗員が存在しない場合には（ステップＳ１においてＮＯ）、音声処理装置１０２を第２の動作モードで動作させる。第２の動作モードは、車両１３６内に乗員が存在しないことを前提とした動作モードである。第２の動作モードにおいては、ノイズ除去処理、音楽除去処理等は行われるが、音声源方位判定やビームフォーミング処理等は行われない。
【００８０】
第２の動作モードにおける音声処理装置の動作を、図２０を用いて説明する。図２０は、本実施形態による音声処理装置における第２の動作モードでの動作を示すフローチャートである。
【００８１】
まず、ノイズ除去処理及び音楽除去処理が開始される（ステップＳ２０）。ノイズ除去処理及び音楽除去処理は、この後、継続して行われる。第２の動作モードにおいては、音声源方位判定、ビームフォーミング等は行われない。即ち、第２の動作モードにおいては、音声源方位判定処理やビームフォーミング処理が、オフに設定される。なお、上述したように、車載音響機器８４が音楽を出力していない場合や、音楽の音量が極めて小さい場合等には、音楽除去処理を行わなくてもよい。また、上述したように、前処理部１０、処理部１２及び後処理部１４において行われる一連の処理によって、ノイズの除去が行われる。また、上述したように、音楽除去処理は、前処理部１０に設けられた音楽除去処理部２４等によって行われる。
【００８２】
第２の動作モードにおいては、ノイズ除去処理、音楽除去処理等が行われた良好な音声信号が、音声処理装置１０２から出力される。第２の動作モードにおいて、音声源方位判定処理やビームフォーミング処理がオフに設定されるのは、以下のような理由によるものである。即ち、車両１３６外に乗員が存在する場合には、車両１３６外における乗員の位置を正確且つ確実に特定するのは必ずしも容易ではない。このため、誤った方向にビームフォーミングが行われることも考えられる。誤った方向にビームフォーミングが行われている状態で、乗員から音声が発せられた場合には、当該乗員から発せられた音声が抑圧されてしまい、当該乗員から発せられた音声を取得し得ない虞がある。そこで、本実施形態では、第２の動作モードにおいては、ビームフォーミングを行わないようにしている。ビームフォーミングを行わないため、本実施形態では、ビームフォーミングを行うために必要となる音声源方位判定も行われない。ノイズ除去処理や音楽除去処理等が行われた良好な音声信号が自動音声認識装置１６８に入力されるため、自動音声認識装置１６８は高い精度で音声認識を行うことができる。自動音声認識装置１６８による音声認識結果に基づいて、車両１３６に搭載されている機器等に対しての操作が自動で行われる。
【００８３】
第２の動作モードにおいて、例えば「開け」や「閉まれ」等の所定のワードが自動音声処理装置１６８によって検出された場合には、車両１３６の外部に位置する乗員が、開閉体１３４の開作動や閉作動を欲していると考えられる。また、近接検知部１２６からの近接検知信号が入力部１１４に入力されている場合には、所定のワードを発したのは乗員であると考えられる。このため、車両１３６内に乗員が存在していないことを乗員有無検知信号が示しており、且つ、近接検知部１２６からの近接検知信号が入力部１１４に入力されている状態において、「開け」や「閉まれ」等の所定のワードが自動音声処理装置１６８によって検出された場合には、制御部１１６は、開閉体１３４の開作動又は閉作動のための制御を行う。具体的には、制御部１１６は、出力部１２０を介して開閉体駆動装置１３２を制御することにより、開閉体１３４の開作動又は閉作動を行う。
【００８４】
第２の動作モードにおいて、例えば「止まれ」という所定のワードが自動音声処理装置１６８によって検出された場合には、車両１３６の外部に位置する乗員が、車両１３６の停止を欲していると考えられる。例えば、坂道に停車させた車両１３６が動き始めてしまった場合には、車両１３６の外部に位置している乗員が、車両１３６の停止を欲する。このため、車両１３６内に乗員が存在していないことを乗員有無検知信号が示しており、且つ、車両１３６が移動している状態において、「止まれ」等の所定のワードが検出された場合には、制御部１１６は、車両１３６を停止させるための制御を行う。具体的には、制御部１１６は、出力部１２０を介してブレーキ制御装置１３８を制御することにより、ブレーキ１４０を動作させ、これにより、車両１３６を停止させる。
【００８５】
このように、本実施形態によれば、車両１３６内に乗員が存在しているか否かを示す乗員有無検知信号に基づいて、ビームフォーミングのオン／オフが設定される。このため、車両１３６の外部に乗員が位置している場合であっても、かかる乗員が発する音声を、車両１３６内に配されたマイクロフォン２２を用いて確実に検出することができる。車両１３６の外部において発せられる音声を取得するためのマイクロフォンを、車両１３６内に配されたマイクロフォン２２と別個に設けることを要しないため、低コスト化に寄与することができる。従って、本実施形態によれば、低コスト化の要請を満たしつつ、車両の内外において発せられ得る音声に対して音声処理を的確に行い得る音声処理装置及びその音声処理装置を用いた制御装置を提供することができる。
【００８６】
（変形例）
次に、本実施形態の変形例による音声処理装置及びその音声処理装置を用いた制御装置について図１８、図１９及び図２１を用いて説明する。図２１は、本変形例による音声処理装置における第２の動作モードでの動作を示すフローチャートである。
【００８７】
本変形例による音声処理装置は、車両１３６の外部に位置している乗員が所定のワードを発した後においては、当該乗員に対してビームフォーミングを行うようにするものである。
【００８８】
まず、図１８を用いて上述した一実施形態による音声処理装置と同様にして、車両１３６内に乗員が存在するか否かの判定が行われる（ステップＳ１）。
【００８９】
車両１３６内に乗員が存在する場合には（ステップＳ１においてＹＥＳ）、音声処理装置１０２を第１の動作モードで動作させる。第１の動作モードにおける音声処理装置の動作は、図１９を用いて上述した一実施形態による音声処理装置の第１の動作モードにおける動作と同様であるため、説明を省略する。
【００９０】
一方、車両１３６内に乗員が存在しない場合には（ステップＳ１においてＮＯ）、音声処理装置１０２を第２の動作モードで動作させる。第２の動作モードは、上述したように、車両１３６内に乗員が存在しないことを前提とした動作モードである。第２の動作モードにおいては、所定のワードが自動音声認識装置１６８によって検出される前においては、ノイズ除去処理、音楽除去処理等は行われるが、音声源方位判定、ビームフォーミング等は行われない。即ち、所定のワードが自動音声認識装置１６８によって検出される前においては、音声源方位判定処理やビームフォーミング処理が、オフに設定される。
【００９１】
第２の動作モードにおける音声処理装置の動作を、図２１を用いて説明する。図２１は、本変形例による音声処理装置における第２の動作モードでの動作を示すフローチャートである。
【００９２】
まず、ノイズ除去処理及び音楽除去処理が開始される（ステップＳ３０）。ノイズ除去処理及び音楽除去処理は、この後、継続して行われる。第２の動作モードにおいては、音声源方位判定、ビームフォーミング等は行われない。なお、上述したように、車載音響機器８４が音楽を出力していない場合や、音楽の音量が極めて小さい場合等には、音楽除去処理を行わなくてもよい。また、上述したように、前処理部１０、処理部１２及び後処理部１４において行われる一連の処理によって、ノイズの除去が行われる。また、上述したように、音楽除去処理は、前処理部１０に設けられた音楽除去処理部２４等によって行われる。
【００９３】
所定のワードが自動音声認識装置１６８によって検出されると（ステップＳ３１においてＹＥＳ）、音声源方位判定処理及びビームフォーミング処理がオンに設定され、所定のワードを発した音声源７２の方位が判定される（ステップＳ３２）。音声源７２の方位の判定は、上述したように、音声源方位判定部１６等によって行われる。所定のワードとしては、例えば、驚嘆したときに発せられる音声である「あ」を挙げることができる。かかる所定ワードが発せられた場合には、車両１３６の外部に位置している乗員が驚いていると考えられる。このため、所定ワードが自動音声認識装置１６８によって検出された場合には（ステップＳ３１においてＹＥＳ）、所定ワードを発した当該乗員から発せられる音声をより確実に取得すべく、ステップＳ３２以降の動作が行われる。
【００９４】
次に、音声源７２の方位に応じて、ビームフォーマの指向性を設定する（ステップＳ３３）。ビームフォーマの指向性の設定は、上述したように、適応アルゴリズム決定部１８、処理部１２等によって行われる。
【００９５】
音声源７２の方位を含む所定の方位範囲以外の方位範囲から到来する音の大きさが、音声源７２から到来する音声の大きさ以上である場合には（ステップＳ３４においてＹＥＳ）、音声源７２の方位の判定を中断する（ステップＳ３５）。
【００９６】
一方、音声源７２の方位を含む所定の方位範囲以外の方位範囲から到来する音の大きさが、音声源７２から到来する音声の大きさ以上でない場合には（ステップＳ３４においてＮＯ）、ステップＳ３２、Ｓ３３を繰り返し行う。
【００９７】
このように、本変形例によれば、所定のワードが検出された後においては、音声源方位判定処理やビームフォーミング処理等がオンに設定されるため、目的音以外の音が抑圧されたより良好な音声信号が自動音声認識装置１６８に入力される。このため、本変形例によれば、音声認識の精度をより向上することができ、車両１３６に搭載されている機器等に対しての操作をより正確且つ確実に行うことが可能となる。
【００９８】
［変形実施形態］
上記実施形態に限らず種々の変形が可能である。
【００９９】
例えば、上記実施形態では、マイクロフォン２２の数が３個である場合を例に説明したが、マイクロフォン２２の数は３個に限定されるものではなく、４個以上であってもよい。多くのマイクロフォン２２を用いれば、音声源７２の方位をより高精度に判定し得る。
【符号の説明】
【０１００】
２２，２２ａ〜２２ｃ、２６ａ、２６ｂ…マイクロフォン
４０…運転席
４２…ダッシュボード
４４…助手席
４６…車体、車室
７２、７２ａ、７２ｂ…音声源
７６…スピーカ
７８…ステアリングホイール
８０…エンジン
８２…外部ノイズ源
８４…車載音響機器
１００…制御装置
１０２…音声処理装置
１３４、１３４ａ〜１３４ｃ…開閉体
１３６…車両
１４８…通信エリア
【図１】
2016167645.tif 000003
【図２】
2016167645.tif 000004
【図３】
2016167645.tif 000005
【図４】
2016167645.tif 000006
【図５】
2016167645.tif 000007
【図６】
2016167645.tif 000008
【図７】
2016167645.tif 000009
【図８】
2016167645.tif 000010
【図９】
2016167645.tif 000011
【図１０】
2016167645.tif 000012
【図１１】
2016167645.tif 000013
【図１２】
2016167645.tif 000014
【図１３】
2016167645.tif 000015
【図１４】
2016167645.tif 000016
【図１５】
2016167645.tif 000017
【図１６】
2016167645.tif 000018
【図１７】
2016167645.tif 000019
【図１８】
2016167645.tif 000020
【図１９】
2016167645.tif 000021
【図２０】
2016167645.tif 000022
【図２１】
2016167645.tif 000023